(57)【特許請求の範囲】
【請求項１】
既設枠を残した建物の躯体に新設枠を取り付けた後、前記既設枠を覆うように前記新設枠に額縁部材を保持させ、さらに前記額縁部材の見付け面に設けた装着凹溝を介して前記額縁部材にカバー部材を装着することにより、前記額縁部材の見付け方向に沿った見付け額縁部を前記カバー部材によって覆うようにした額縁部材の取付構造であって、
前記額縁部材の見込み額縁部に接合される接合壁部と、前記接合壁部を介して前記額縁部材の見込み額縁部に取り付けた場合に前記額縁部材の見付け額縁部を延長するように延在する見付け壁部と、前記見付け壁部から建物の外壁に向けて延在した見込み壁部とを有し、かつ前記見付け壁部に前記額縁部材の装着凹溝と同一形状の延長凹溝を設けた延長額縁部材を備え、
前記カバー部材において前記額縁部材の見付け面を覆う見付けカバー部は、前記延長額縁部材を前記額縁部材に取り付けた状態で前記延長凹溝を介して前記延長額縁部材に装着した場合に前記額縁部材の装着凹溝を覆う長さに構成したことを特徴とする額縁部材の取付構造。
【請求項２】
前記カバー部材の見付けカバー部は、前記装着凹溝を介して前記額縁部材に装着した場合に前記額縁部材の見付け面内に配置される長さを有し、
前記延長額縁部材は、前記接合壁部を介して前記額縁部材の見込み額縁部に取り付けた場合の前記装着凹溝と前記延長凹溝との中心間距離が、前記装着凹溝から突出する前記見付けカバー部の長さ以下となるように構成したことを特徴とする請求項１に記載の額縁部材の取付構造。
【請求項３】
前記カバー部材は、前記見込み額縁部の見込み面を覆う見込みカバー部を有したことを特徴とする請求項１に記載の額縁部材の取付構造。
【請求項４】
前記延長額縁部材は、前記延長凹溝と前記見込み壁部との間の距離が、前記額縁部材の見込み額縁部と前記装着凹溝との間の距離に一致するように構成したことを特徴とする請求項３に記載の額縁部材の取付構造。
【請求項５】
前記カバー部材の見込みカバー部は、前記見込み額縁部の延在端部まで覆う長さを有したことを特徴とする請求項３に記載の額縁部材の取付構造。
【請求項６】
前記カバー部材は、前記見付けカバー部において前記額縁部材に対向する内表面に一対の係合ヒレ部を有し、これらの係合ヒレ部を前記装着凹溝の互いに対向する内壁面に係合させることによって前記額縁部材に装着したことを特徴とする請求項１に記載の額縁部材の取付構造。
【請求項７】
前記額縁部材の見付け面には、前記装着凹溝の内壁面に沿って突出する突条部を設け、
前記カバー部材には、前記見付けカバー部の延在端部に前記額縁部材の見付け面に向けて突出し、前記額縁部材の突条部が前記見付けカバー部に当接した場合に前記額縁部材の見付け面に当接するようにリップ部を設けたことを特徴とする請求項１に記載の額縁部材の取付構造。
【発明の詳細な説明】
【技術分野】
【０００１】
本発明は、玄関ドア等の建具を改装する場合に適用する額縁部材を取り付けるための構造に関するものである。
【背景技術】
【０００２】
玄関ドア等の建具を改装する方法としては、工期の短縮化を図るため、既設枠を残したまま建物の躯体に新設枠を取り付けるようにした方法が広く採用されている。新設枠には、新設枠自身及び建物に残した既設枠を覆い隠すように額縁部材が取り付けられており、改装した後の建具に高い外観品質を確保することが可能である。
【０００３】
ここで、額縁部材が覆い隠す対象となる既設枠や新設枠は、見付け寸法や見込み寸法が様々であるため、額縁部材としても見付け寸法や見込み寸法に応じた寸法を有している必要がある。しかしながら、寸法の異なる額縁部材を複数用意した場合には、個々の額縁部材の製造コストや管理コストが増大するという問題を来すおそれがある。
【０００４】
このため従来では、異なる見付け寸法や見込み寸法に対応し得る額縁部材を適用したものが提供されている。例えば、特許文献１では、見付け方向に沿った見付け額縁部と見込み方向に沿った見込み額縁部とが交互に連続した階段状に額縁部材を構成するようにしている。この額縁部材によれば、所望の部位で切断することによって既設枠や新設枠の寸法に対応することが可能となる。
【先行技術文献】
【特許文献】
【０００５】
【特許文献１】特開２００４−２０４４９６号公報
【発明の概要】
【発明が解決しようとする課題】
【０００６】
上述したように、特許文献１によれば、異なる見付け寸法や見込み寸法を有した既設枠及び新設枠に対して額縁部材を共通化することが可能となる。しかも、額縁部材を所望の寸法に切断するものであるため、継ぎ接ぎ部分が外部に現れることもなく、外観品質の点でも問題はない。しかしながら、額縁部材から切断された余剰部分は、廃棄されるだけであり、実質的な歩留まりを考慮した場合、必ずしも好ましいとはいえない。
【０００７】
本発明は、上記実情に鑑みて、歩留まりが低下する事態や製造・管理コストが増大する事態を招来することなく、外観品質を確保して異なる見付け寸法や見込み寸法に対応することのできる額縁部材の取付構造を提供することを目的とする。
【課題を解決するための手段】
【０００８】
上記目的を達成するため、本発明に係る額縁部材の取付構造は、既設枠を残した建物の躯体に新設枠を取り付けた後、前記既設枠を覆うように前記新設枠に額縁部材を保持させ、さらに前記額縁部材の見付け面に設けた装着凹溝を介して前記額縁部材にカバー部材を装着することにより、前記額縁部材の見付け方向に沿った見付け額縁部を前記カバー部材によって覆うようにした額縁部材の取付構造であって、前記額縁部材の見込み額縁部に接合される接合壁部と、前記接合壁部を介して前記額縁部材の見込み額縁部に取り付けた場合に前記額縁部材の見付け額縁部を延長するように延在する見付け壁部と、前記見付け壁部から建物の外壁に向けて延在した見込み壁部とを有し、かつ前記見付け壁部に前記額縁部材の装着凹溝と同一形状の延長凹溝を設けた延長額縁部材を備え、前記カバー部材において前記額縁部材の見付け面を覆う見付けカバー部は、前記延長額縁部材を前記額縁部材に取り付けた状態で前記延長凹溝を介して前記延長額縁部材に装着した場合に前記額縁部材の装着凹溝を覆う長さに構成したことを特徴とする。
【０００９】
この発明によれば、額縁部材に対して延長額縁部材が取り付け可能であり、しかも額縁部材及び延長額縁部材のそれぞれに対してカバー部材を取り付けることができる。すなわち、額縁部材及びカバー部材については共通で必須の構成となるため、異なる見付け寸法や見込み寸法を有した既設枠及び新設枠に対して共通に用いられることになる。従って、製造コストや管理コストが大きく増大する事態や歩留まりが低下する等の問題を招来するおそれがない。また、延長額縁部材にカバー部材を取り付けた場合には、カバー部材によって額縁部材の装着凹溝が覆われることになる。従って、延長額縁部材を使用するかしないかに関わらず、カバー部材によって表面が覆われることになり、外観品質の点で問題が生じるおそれもない。
【００１０】
また本発明は、上述した額縁部材の取付構造において、前記カバー部材の見付けカバー部は、前記装着凹溝を介して前記額縁部材に装着した場合に前記額縁部材の見付け面内に配置される長さを有し、前記延長額縁部材は、前記接合壁部を介して前記額縁部材の見込み額縁部に取り付けた場合の前記装着凹溝と前記延長凹溝との中心間距離が、前記装着凹溝から突出する前記見付けカバー部の長さ以下となるように構成したことを特徴とする。
【００１１】
この発明によれば、カバー部材の見付けカバー部を額縁部材の見付け面内に配置される長さに設定し、かつ装着凹溝と延長凹溝との中心間距離が、装着凹溝から突出する見付けカバー部の長さ以下となるように構成しているため、延長額縁部材を用いない場合にカバー部材が額縁部材の外部に突出することがなく、しかも、延長額縁部材を用いた場合には額縁部材の装着凹溝を見付けカバーによって確実に覆うことができる。
【００１２】
また本発明は、上述した額縁部材の取付構造において、前記カバー部材は、前記見込み額縁部の見込み面を覆う見込みカバー部を有したことを特徴とする。
【００１３】
この発明によれば、額縁部材及び延長額縁部材のそれぞれに対してカバー部材により見込み面を覆うことが可能となる。
【００１４】
また本発明は、上述した額縁部材の取付構造において、前記延長額縁部材は、前記延長凹溝と前記見込み壁部との間の距離が、前記額縁部材の見込み額縁部と前記装着凹溝との間の距離に一致するように構成したことを特徴とする。
【００１５】
この発明によれば、額縁部材の見込み面及び延長額縁部材の見込み面に対してできるだけ隙間を小さくした状態でカバー部材によって覆うことが可能となる。
【００１６】
また本発明は、上述した額縁部材の取付構造において、前記カバー部材の見込みカバー部は、前記見込み額縁部の延在端部まで覆う長さを有したことを特徴とする。
【００１７】
この発明によれば、額縁部材の見込み額縁部に延長板材を接続することによって建物の外壁との間の隙間を覆った場合にも、見込み額縁部と延長板材との接続部がカバー部材によって覆われることになり、外部に露出しない。
【００１８】
また本発明は、上述した額縁部材の取付構造において、前記カバー部材は、前記見付けカバー部において前記額縁部材に対向する内表面に一対の係合ヒレ部を有し、これらの係合ヒレ部を前記装着凹溝の互いに対向する内壁面に係合させることによって前記額縁部材に装着したことを特徴とする。
【００１９】
この発明によれば、カバー部材に設けた一対の係合ヒレ部がそれぞれ装着凹溝の内壁面に係合する構成であるため、カバー部材に取付誤差が生じにくく、取付強度の点でも有利となり、不用意に脱落するおそれがない。
【００２０】
また本発明は、上述した額縁部材の取付構造において、前記額縁部材の見付け面には、前記装着凹溝の内壁面に沿って突出する突条部を設け、前記カバー部材には、前記見付けカバー部の延在端部に前記額縁部材の見付け面に向けて突出し、前記額縁部材の突条部が前記見付けカバー部に当接した場合に前記額縁部材の見付け面に当接するようにリップ部を設けたことを特徴とする。
【００２１】
この発明によれば、カバー部材を延長額縁部材の延長凹溝に装着した場合にリップ部が装着凹溝の突条部に対向して配置されることになるため、隙間が生じにくく外観品質を向上することができる。
【発明の効果】
【００２２】
本発明によれば、額縁部材に対して延長額縁部材が取り付け可能であり、しかも額縁部材及び延長額縁部材のそれぞれに対してカバー部材を取り付けることができる。すなわち、額縁部材及びカバー部材については共通で必須の構成となるため、異なる見付け寸法や見込み寸法を有した既設枠及び新設枠に対して共通に用いられることになる。従って、製造コストや管理コストが大きく増大する事態や歩留まりが低下する等の問題を招来するおそれがない。また、延長額縁部材にカバー部材を取り付けた場合には、カバー部材によって額縁部材の装着凹溝が覆われることになる。従って、延長額縁部材を使用するかしないかに関わらず、カバー部材によって表面が覆われることになり、外観品質の点で問題が生じるおそれもない。
【図面の簡単な説明】
【００２３】
【図１】図１は、本発明の実施の形態である額縁部材の取付構造を適用した建具の枠部分を室外側から見た図である。
【図２】図２は、図１に示した枠部分の要部を示したもので、（ａ）は既設枠のみを残した状態の拡大縦断面図、（ｂ）は上額縁部材を取り付けた状態の拡大縦断面図である。
【図３】図３は、図１に示した枠部分の要部を示したもので、（ａ）は既設枠のみを残した状態の拡大横断面図、（ｂ）は縦額縁部材を取り付けた状態の拡大横断面図である。
【図４】図４は、図１に示した枠部分に適用する上額縁部材、上カバー部材及び上延長額縁部材を分解した状態の図である。
【図５】図５は、図１に示した枠部分に適用する縦額縁部材、縦カバー部材及び縦延長額縁部材を分解した状態の図である。
【図６】図６は、図４に示した上額縁部材、上カバー部材及び上延長額縁部材を適用して比較的見付け寸法の大きな既設枠を覆った場合の取付構造を示すもので、（ａ）は既設枠のみを残した状態の拡大縦断面図、（ｂ）は上額縁部材及び上延長額縁部材を取り付けた状態の拡大縦断面図である。
【図７】図７は、図５に示した縦額縁部材、縦カバー部材及び縦延長額縁部材を適用して比較的見付け寸法の大きな既設枠を覆った場合の取付構造を示すもので、（ａ）は既設枠のみを残した状態の拡大縦断面図、（ｂ）は縦額縁部材及び縦延長額縁部材を取り付けた状態の拡大縦断面図である。
【図８】図８は、図５に示した縦額縁部材及び縦カバー部材を適用して比較的見付け寸法の大きな既設枠を覆った場合の取付構造を示す要部拡大縦断面図である。
【発明を実施するための形態】
【００２４】
以下、添付図面を参照しながら本発明に係る額縁部材の取付構造の好適な実施の形態について詳細に説明する。
【００２５】
図１〜図３は、本発明の実施の形態である額縁部材の取付構造を適用した建具の枠部分を示したものである。ここで例示する建具は、既設の玄関ドアを改装することによって構成した玄関ドアである。以下、本実施の形態では便宜上、既設の玄関ドアと改装後の新たな玄関ドアとを区別するため、改装対象となる既設玄関ドアの各構成要素に「既設」という用語を付し、新たに取り付ける玄関ドアの各構成要素に「新設」という用語を付してそれぞれを説明することとする。
【００２６】
改装対象となる既設玄関ドアは、図２の（ａ）及び図３の（ｂ）に示すように、既設開口枠１０に既設ドアパネル（図示せず）を開閉可能に支持させることによって構成されていたものである。改装に際しては、既設開口枠１０のみが建物に残った状態となるように、予め既設ドアパネル（図示せず）が取り外してある。既設玄関ドアの既設開口枠１０は、既設上枠１１と左右の既設縦枠１２とを備えて構成したものである。それぞれの既設枠１１，１２は、アルミニウム合金によって成形した押し出し形材であり、全長にわたってほぼ一様な断面形状を有している。図からも明らかなように、既設上枠１１及び既設縦枠１２は、それぞれの室外側に位置する部分が建物の外壁Ｗからわずかに突出した状態で建物の躯体Ｂに固定されている。図２及び図３で例示する既設枠１１，１２は、見付け寸法及び外壁Ｗからの突出寸法がいずれも比較的小さく設定されているものである。
【００２７】
一方、新設玄関ドアは、図２の（ｂ）及び図３の（ｂ）に示すように、新設開口枠２０に新設ドアパネル２１を開閉可能に支持させることによって構成したものである。新設開口枠２０を構成する新設上枠２２及び左右の新設縦枠２３は、それぞれが略矩形の筒状を成す２つの枠要素２２ａ，２２ｂ、２３ａ，２３ｂと、枠要素２２ａ，２２ｂ、２３ａ，２３ｂの相互間を連結する断熱材２２ｃ，２３ｃとを備えて構成してある。それぞれの枠要素２２ａ，２２ｂ、２３ａ，２３ｂは、アルミニウム合金によって成形した押し出し形材であり、全長にわたってほぼ一様な断面形状を有している。これらの新設枠２２，２３は、既設枠１１，１２よりも内周側となる部位に、２つの枠要素２２ａ，２２ｂ、２３ａ，２３ｂが見込み方向に沿って並設する姿勢で配置し、さらに連結部材２４を介して建物の躯体Ｂに固定してある。連結部材２４は、それぞれの一端部が新設枠２２，２３に固定され、かつ他端部が室内側に向けて延在したもので、室内側に延在した個々の他端部を介して固定ネジ２５により躯体Ｂに固定してある。
【００２８】
既設枠１１，１２と新設枠２２，２３との間には、それぞれスペーサＳが介在してある。既設上枠１１と新設上枠２２との間には、さらにスペーサＳよりも室外側となる部位の間がシール材Ｔによって密閉してある。図には明示していないが、本実施の形態の新設枠２２，２３は、新設上枠２２の端部を新設縦枠２３の側面に当接させるようにして構成してあり、新設縦枠２３を介して新設上枠２２のビスホール２２ｄに枠固定ネジ（図示せず）を螺合させることによって、新設上枠２２と新設縦枠２３との間が互いに連結してある。
【００２９】
図２及び図３に示すように、新設枠２２，２３は、それぞれの既設枠１１，１２よりも室外側に突出しており、室外側に臨む見付け面に額縁部材３１，３２を保持している。額縁部材３１，３２は、建物に残した既設開口枠１０を室外側から覆うためのものである。本実施の形態では、新設上枠２２の長手方向に沿ってほぼ水平に配置される上額縁部材３１と、新設縦枠２３の長手方向に沿ってほぼ鉛直に配置される縦額縁部材３２とが個別に用意してある。
【００３０】
上額縁部材３１は、樹脂もしくはアルミニウム合金によって成形した押し出し形材であり、図２の（ｂ）及び図４に示すように、接合額縁部３１ａ、見付け額縁部３１ｂ及び見込み額縁部３１ｃを有している。接合額縁部３１ａは、新設上枠２２の見付け面に接合される部分であり、ネジを螺合するに十分な幅を有して構成してある。接合額縁部３１ａの上下両縁部には、互いに対向するように一対の係合壁部３１ｄが室外側に向けて設けてあり、上額縁部材３１の長手方向に沿って延在するビスカバー３３を着脱可能に装着することが可能である。見付け額縁部３１ｂは、上方の係合壁部３１ｄから上方に向けて延在したものである。見付け額縁部３１ｂの上縁部には、装着凹溝３１ｅが設けてある。装着凹溝３１ｅは、上額縁部材３１の長手方向に沿って延在した断面が矩形状の凹部である。本実施の形態では、見付け額縁部３１ｂの中間部を室内側に向けて略直角に屈曲した後に上方に向けて略直角に屈曲し、さらに屈曲端部を室外側に向けて略直角に屈曲することによって装着凹溝３１ｅが構成してある。装着凹溝３１ｅの上下両縁部には、それぞれ突条部３１ｆが設けてある。突条部３１ｆは、装着凹溝３１ｅの互いに対向する内壁面に連続するように設けたヒレ状部分であり、見付け額縁部３１ｂの室外側に臨む見付け面よりも室外側に向けてわずかに突出している。装着凹溝３１ｅを含む見付け額縁部３１ｂの見付け寸法３１Ａは、新設上枠２２の上面から既設上枠１１と外壁Ｗとの接合部までの距離よりも大きく設定してある。見込み額縁部３１ｃは、見付け額縁部３１ｂにおいて装着凹溝３１ｅの上方に位置する内壁面を建物の外壁Ｗに向けて延在することにより構成したものである。見込み額縁部３１ｃの見込み寸法は、延在端部が接合額縁部３１ａよりもわずかに室内側に突出した位置となるように設定してある。
【００３１】
縦額縁部材３２は、上額縁部材３１と同様、樹脂もしくはアルミニウム合金によって成形した押し出し形材であり、図３の（ｂ）及び図５に示すように、接合額縁部３２ａ、内方見込み額縁部３２ｂ、見付け額縁部３２ｃ及び外方見込み額縁部３２ｄを有している。接合額縁部３２ａは、新設縦枠２３の見付け面に接合される部分であり、ネジを螺合するに十分な幅を有して構成してある。接合額縁部３２ａの左右両縁部には、互いに対向するように一対の係合壁部３２ｅが室外側に向けて設けてあり、縦額縁部材３２の長手方向に沿って延在するビスカバー３３を着脱可能に装着することが可能である。内方見込み額縁部３２ｂは、外周側の係合壁部３２ｅを見込み方向に延長した部分である。見付け額縁部３２ｃは、内方見込み額縁部３２ｂから外周側に向けて屈曲して延在したものである。見付け額縁部３２ｃの外周側縁部には、装着凹溝３２ｆが設けてある。装着凹溝３２ｆは、縦額縁部材３２の長手方向に沿って延在した断面が矩形状の凹部である。本実施の形態では、見付け額縁部３２ｃの中間部を室内側に向けて略直角に屈曲した後に外周側に向けて略直角に屈曲し、さらに屈曲端部を室外側に向けて略直角に屈曲することによって装着凹溝３２ｆが構成してある。装着凹溝３２ｆの左右両縁部には、それぞれ突条部３２ｇが設けてある。突条部３２ｇは、装着凹溝３２ｆの互いに対向する内壁面に連続するように設けたヒレ状部分であり、見付け額縁部３２ｃの室外側に臨む見付け面よりも室外側に向けてわずかに突出している。装着凹溝３２ｆを含む見付け額縁部３２ｃの見付け寸法３２Ａは、新設縦枠２３の外周側面から既設縦枠１２と外壁Ｗとの接合部までの距離よりも大きく設定してある。外方見込み額縁部３２ｄは、見付け額縁部３２ｃにおいて装着凹溝３２ｆの外周側に位置する内壁面を建物の外壁Ｗに向けて延在することにより構成したものである。外周見込み額縁部３２ｄの見込み寸法は、延在端部が接合額縁部３１ａの延在端部とほぼ同じ位置となるように設定してある。
【００３２】
図２の（ｂ）及び図３の（ｂ）に示すように、上額縁部材３１には、見付け額縁部３１ｂから見込み額縁部３１ｃまでの間を覆うように上カバー部材４１が装着してあり、縦額縁部材３２には、見付け額縁部３２ｃから外方見込み額縁部３２ｄまでの間を覆うように縦カバー部材４２が装着してある。
【００３３】
カバー部材４１，４２は、樹脂もしくはアルミニウム合金によって成形した押し出し形材であり、図４及び図５に示すように、互いに直角となるように延在した見付けカバー部４１ａ，４２ａ及び見込みカバー部４１ｂ，４２ｂを有している。見付けカバー部４１ａ，４２ａは、額縁部材３１，３２の見付け額縁部３１ｂ，３２ｃを覆うように配置される部分である。見込みカバー部４１ｂは、上額縁部材３１の見込み額縁部３１ｃを覆うように配置される部分であり、見込みカバー部４２ｂは、縦額縁部材３２の外方見込み額縁部３２ｄを覆うように配置される部分である。
【００３４】
見付けカバー部４１ａ，４２ａは、それぞれの額縁部材３１，３２の見付け額縁部３１ｂ，３２ｃよりもわずかに大きな見付け寸法４１Ａ，４２Ａを有した平板状を成しており、額縁部材３１，３２の見付け額縁部３１ｂ，３２ｃに対向する内表面にリップ部４１ｃ，４２ｃ及び一対の係合ヒレ部４１ｄ，４２ｄを有している。リップ部４１ｃ，４２ｃは、見付けカバー部４１ａ，４２ａの内周側に位置する縁部から室内側に向けてわずかに屈曲したものである。リップ部４１ｃ，４２ｃの屈曲高さは、それぞれの額縁部材３１，３２に設けた突条部３１ｆ，３２ｇと同じ寸法に形成してある。係合ヒレ部４１ｄ，４２ｄは、見付けカバー部４１ａ，４２ａから互いに平行となるように突出した薄板状部分であり、額縁部材３１，３２の見付け額縁部３１ｂ，３２ｃに設けた装着凹溝３１ｅ，３２ｆに挿入した場合に装着凹溝３１ｅ，３２ｆの内壁面に係合することが可能である。この係合ヒレ部４１ｄ，４２ｄは、図２の（ｂ）及び図３の（ｂ）に示すように、装着凹溝３１ｅ，３２ｆに装着した場合に見付けカバー部４１ａ，４２ａのリップ部４１ｃ，４２ｃが見付け額縁部３１ｂ，３２ｃの内周側に位置する縁部に当接するとともに、見付けカバー部４１ａ，４２ａの外周側縁部が見付け額縁部３１ｂ，３２ｃの外周側縁部をわずかに超えた位置に配置されるように、その配設位置が設定してある。見込みカバー部４１ｂは、見付けカバー部４１ａの外周側縁部からほぼ直角方向に延在した平板状部分であり、上額縁部材３１の見込み額縁部３１ｃを覆うことのできる見込み寸法を有して構成してある。見込みカバー部４２ｂは、見付けカバー部４２ａの外周側縁部からほぼ直角方向に延在した平板状部分であり、縦額縁部材３２の外方見込み額縁部３２ｄを覆うことのできる見込み寸法を有して構成してある。
【００３５】
上述した額縁部材３１，３２を取り付けるには、ビスカバー３３及びカバー部材４１，４２を取り外した状態で、それぞれの接合額縁部３１ａ，３２ａを新設枠２２，２３の見付け面に当接させ、この状態から接合額縁部３１ａ，３２ａを介して新設枠２２，２３に取付ネジ５０を螺合させれば良い。上額縁部材３１の見込み額縁部３１ｃと外壁Ｗとの間並びに縦額縁部材３２の外方見込み額縁部３２ｄと外壁Ｗとの間については、見込み額縁部３１ｃ，３２ｄに延長板材６０を追加することで隙間をなくすことが可能である。すなわち、見込み額縁部３１ｃ，３２ｄから外壁Ｗまでの隙間よりも見込み寸法の大きな延長板材６０を見込み額縁部３１ｃ，３２ｄに重ね合わせ、この状態から延長板材６０を介して見込み額縁部３１ｃ，３２ｄに連結ネジ６１を螺合すれば、外壁Ｗとの隙間を覆い隠すことが可能である。図には明示していないが、縦額縁部材３２と外壁Ｗとの間は、シール材によって密閉しておくことが好ましい。
【００３６】
その後、額縁部材３１，３２にそれぞれビスカバー３３を装着し、かつ装着凹溝３１ｅ，３２ｆにそれぞれカバー部材４１，４２を装着すれば、取付ネジ５０や連結ネジ６１を外部に露出させることなく、額縁部材３１，３２を新設枠２２，２３に保持させることが可能となる。この状態においては、既設枠１１，１２、新設枠２２，２３と既設枠１１，１２との隙間、既設枠１１，１２と外壁Ｗとの接合部が額縁部材３１，３２及び延長板材６０によって覆われることになり、外部に露出する事態を招来しないため、外観品質の点で有利となる。
【００３７】
ここで、上述したように、額縁部材３１，３２と外壁Ｗとの隙間については、延長板材６０を取り付けることができるため、外壁Ｗからの新設枠２２，２３の突出量が異なる場合にも、共通の額縁部材３１，３２を適用することが可能である。しかしながら、図６の（ａ）及び図７の（ａ）に示すように、覆い隠すべき既設枠１１′，１２′の見付け寸法が大きい場合には、延長板材６０を追加することによっては対応することが困難である。
【００３８】
そこで、本実施の形態では、上延長額縁部材７１及び縦延長額縁部材７２を用意することで上述の問題に対応するようにしている。延長額縁部材７１，７２は、額縁部材３１，３２と同様の材質によって成形した押し出し形材であり、図４及び図５に示すように、接合壁部７１ａ，７２ａ、見付け壁部７１ｂ，７２ｂ、見込み壁部７１ｃ，７２ｃを有している。
【００３９】
接合壁部７１ａは、上額縁部材３１の見込み額縁部３１ｃに接合される部分であり、接合壁部７２ａは、縦額縁部材３２の外方見込み額縁部３２ｄに接合される部分である。それぞれの接合壁部７１ａ，７２ａは、ネジを螺合するに十分な幅の平板状を成している。
【００４０】
見付け壁部７１ｂ，７２ｂは、接合壁部７１ａ，７２ａを額縁部材３１，３２の見込み額縁部３１ｃ，３２ｄに当接させた場合に見付け額縁部３１ｂ，３２ｃの延長上に配置される部分であり、接合壁部７１ａ，７２ａの外周側縁部から略直角に屈曲して延在している。見付け壁部７１ｂ，７２ｂには、延長凹溝７１ｄ，７２ｄが設けてある。
【００４１】
延長凹溝７１ｄ，７２ｄは、額縁部材３１，３２の装着凹溝３１ｅ，３２ｆと同一の断面形状を有した凹部であり、接合壁部７１ａ，７２ａを額縁部材３１，３２の見込み額縁部３１ｃ，３２ｄに当接させた場合に額縁部材３１，３２の装着凹溝３１ｅ，３２ｆに平行となるように構成してある。本実施の形態では、見付け壁部７１ｂ，７２ｂの室外側に臨む見付け面に一対の延長係合片７１ｅ，７２ｅを設けることによって延長凹溝７１ｄ，７２ｄが構成してある。
【００４２】
見付け壁部７１ｂ，７２ｂの見付け寸法７１Ａ，７２Ａは、接合壁部７１ａ，７２ａを額縁部材３１，３２の見込み額縁部３１ｃ，３２ｄに当接させた場合に、装着凹溝３１ｅ，３２ｆと延長凹溝７１ｄ，７２ｄとの中心間距離が、装着凹溝３１ｅ，３２ｆに装着したカバー部材４１，４２の見付けカバー部４１ａ，４２ａにおいて装着凹溝３１ｅ，３２ｆから内周側に突出した長さ４１Ｂ，４２Ｂ以下となるように構成してある。見込み壁部７１ｃ，７２ｃは、見付け壁部７１ｂ，７２ｂにおいて延長凹溝７１ｄ，７２ｄの外周側に位置する延長係合片７１ｅ，７２ｅを建物の外壁Ｗに向けて延在することにより構成したものである。上延長額縁部材７１においては、見込み壁部７１ｃの見込み寸法に延長係合片７１ｅの突出寸法を加算した長さ７１Ｂが、上額縁部材３１の見込み額縁部３１ｃに突条部３１ｆの突出寸法を加算した長さ３１Ｂと同一となるように形成してある。また、延長凹溝７１ｄの内周側に位置する延長係合片７１ｅから見込み壁部７１ｃまでの距離７１Ｃは、上額縁部材３１において装着凹溝３１ｅの内周側に位置する内壁面から見込み額縁部３１ｃまでの距離３１Ｃと一致するように構成してある。同様に、縦延長額縁部材７２においては、見込み壁部７２ｃの見込み寸法に延長係合片７２ｅの突出寸法を加算した長さ７２Ｂが、縦額縁部材３２の外方見込み額縁部３２ｄに突条部３２ｇの突出寸法を加算した長さ３２Ｂと同一となるように形成してある。また、延長凹溝７２ｄの内周側に位置する延長係合片７２ｅから見込み壁部７２ｃまでの距離７２Ｃは、縦額縁部材３２において装着凹溝３２ｆの内周側に位置する内壁面から外方見込み額縁部３２ｄまでの距離３２Ｃと一致するように構成してある。
【００４３】
上記のように構成した延長額縁部材７１，７２は、図６の（ｂ）及び図７の（ｂ）に示すように、接合壁部７１ａ，７２ａを額縁部材３１，３２の見込み壁部７１ｃ，７２ｃに重ね合わせた状態で連設ネジ８０を螺合することにより、額縁部材３１，３２に保持される。このとき、延長係合片７１ｅ，７２ｅの先端位置が、額縁部材３１，３２に設けた突条部３１ｆ，３２ｇの先端位置と一致するように延長額縁部材７１，７２の取付位置を設定すれば、延長額縁部材７１，７２によって額縁部材３１，３２の見付け寸法が延長されることになり、見付け寸法の大きい既設枠１１′，１２′を覆い隠すことが可能となる。
【００４４】
延長額縁部材７１，７２の見込み壁部７１ｃ，７２ｃと外壁Ｗとの間については、見込み壁部７１ｃ，７２ｃに延長板材６０を追加することで隙間をなくすことが可能である。すなわち、見込み壁部７１ｃ，７２ｃから外壁Ｗまでの隙間よりも見込み寸法の大きな延長板材６０を見込み壁部７１ｃ，７２ｃに重ね合わせ、この状態から延長板材６０を介して見込み壁部７１ｃ，７２ｃに連結ネジ６１を螺合すれば、外壁Ｗとの隙間を覆い隠すことが可能である。図には明示していないが、縦壁部材と外壁Ｗとの間は、シール材によって密閉しておくことが好ましい。
【００４５】
その後、額縁部材３１，３２にそれぞれビスカバー３３を装着すれば、取付ネジ５０を外部に露出させることなく、額縁部材３１，３２及び延長額縁部材７１，７２を新設枠２２，２３に保持させることが可能となる。この状態においては、既設枠１１′，１２′、新設枠２２，２３と既設枠１１′，１２′との隙間、既設枠１１′，１２′と外壁Ｗとの接合部が額縁部材３１，３２及び延長板材６０によって覆われることになり、外部に露出する事態を招来しないため、外観品質の点で有利となる。
【００４６】
ここで、上述した延長額縁部材７１，７２は、延長凹溝７１ｄ，７２ｄが額縁部材３１，３２の装着凹溝３１ｅ，３２ｆと同じ断面形状に構成してあるとともに、延長凹溝７１ｄ，７２ｄの内周側に位置する延長係合片７１ｅ，７２ｅから見込み壁部７１ｃ，７２ｃまでの距離が、額縁部材３１，３２において装着凹溝３１ｅ，３２ｆの内周側に位置する内壁面から見込み額縁部３１ｃ，３２ｄまでの距離と一致するように構成してある。従って、額縁部材３１，３２に装着するカバー部材４１，４２をそのまま延長額縁部材７１，７２の延長凹溝７１ｄ，７２ｄに装着することができる。上述したように、延長額縁部材７１，７２の見込み壁部７１ｃ，７２ｃを額縁部材３１，３２の見込み額縁部３１ｃ，３２ｄと同一の寸法に形成してあるため、見込み壁部７１ｃ，７２ｃと延長板材６０とを連結した連結ネジ６１は、カバー部材４１，４２の見込みカバー部４１ｂ，４２ｂによって覆われることになる。
【００４７】
さらに、延長額縁部材７１，７２は、接合壁部７１ａ，７２ａを額縁部材３１，３２の見込み額縁部３１ｃ，３２ｄに当接させた場合に、装着凹溝３１ｅ，３２ｆと延長凹溝７１ｄ，７２ｄとの中心間距離が、換言すれば、装着凹溝３１ｅ，３２ｆの内周側に位置する内壁面から延長凹溝７１ｄ，７２ｄの内周側に位置する延長係合片７１ｅ，７２ｅまでの距離が、装着凹溝３１ｅ，３２ｆに装着したカバー部材４１，４２の見付けカバー部４１ａ，４２ａにおいて装着凹溝３１ｅ，３２ｆから内周側に突出した長さ以下となるように構成したものである。従って、延長額縁部材７１，７２の延長凹溝７１ｄ，７２ｄにカバー部材４１，４２を装着した場合には、カバー部材４１，４２の見付けカバー部４１ａ，４２ａによって額縁部材３１，３２の装着凹溝３１ｅ，３２ｆが覆い隠されることになり、延長額縁部材７１，７２を設けたことに起因して外観品質が損なわれるおそれがない。
【００４８】
加えて、本実施の形態では、比較的見付け寸法の小さい既設枠１１，１２に適用する場合と、比較的見付け寸法の大きい既設枠１１′，１２′に適用する場合とで、額縁部材３１，３２及びカバー部材４１，４２を共通に用いることができるため、製造コストや管理コストが大きく増大する事態や歩留まりが低下する等の問題を招来するおそれがない。
【００４９】
尚、上述した実施の形態では、ドアパネルを開閉可能に支持させた玄関ドアを例示しているが、その他の建具にももちろん適用することが可能である。また、新設枠２２，２３として２つの枠要素２２ａ，２２ｂ、２３ａ，２３ｂを断熱材２２ｃ，２３ｃによって連結したものを例示しているが、新設枠２２，２３及び既設枠１１，１２、１１′，１２′の構成は実施の形態に記載のものに限らない。さらに、カバー部材４１，４２に一対の係合ヒレ部４１ｄ，４２ｄを設け、装着凹溝３１ｅ，３２ｆの互いに対向する内壁面に係合ヒレ部４１ｄ，４２ｄを係合させるようにしているため、カバー部材４１，４２の取付誤差が生じにくく、取付強度の点でも有利となる。しかしながら、本発明は必ずしもカバー部材４１，４２が一対の係合ヒレ部４１ｄ，４２ｄを有している必要はない。またさらに、カバー部材４１，４２の見付けカバー部４１ａ，４２ａにリップ部４１ｃ，４２ｃを設けるとともに、額縁部材３１，３２に突条部３１ｆ，３２ｇを設けているため、カバー部材４１，４２を延長額縁部材７１，７２の延長凹溝７１ｄ，７２ｄに装着した場合にリップ部４１ｃ，４２ｃが装着凹溝３１ｅ，３２ｆの突条部３１ｆ，３２ｇに対向して配置される。従って、カバー部材４１，４２の見付けカバー部４１ａ，４２ａと額縁部材３１，３２の見付け面との間に隙間が生じにくく外観品質を向上することができるが、本発明は必ずしもリップ部４１ｃ，４２ｃ及び突条部３１ｆ，３２ｇを設ける必要はない。
【００５０】
また、上述した実施の形態では、延長額縁部材７１，７２の見込み壁部７１ｃ，７２ｃと外壁Ｗとの間に隙間がある場合に見込み壁部７１ｃ，７２ｃに延長板材６０を追加するようにしているが、必ずしも延長板材６０を設ける必要はない。例えば、図８に示すように、入隅に縦額縁部材３２が配設される場合には、入隅となった外壁Ｗと縦カバー部材４２の見込みカバー部４２ｂとの間に直接シール材Ｔを塗布することで、延長板材６０、縦延長額縁部材７２を省略することが可能となる。
【００５１】
さらに上述した実施の形態では、カバー部材として見込みカバー部を有したものを例示しているが、見込みカバー部は必ずしも必要はなく、見付けカバー部のみを有したカバー部材を適用しても構わない。
【００５２】
また、上述した実施の形態では、延長凹溝７１ｄの内周側に位置する延長係合片７１ｅから見込み壁部７１ｃまでの距離７１Ｃと、上額縁部材３１において装着凹溝３１ｅの内周側に位置する内壁面から見込み額縁部３１ｃまでの距離３１Ｃとが一致するように構成してあるため、額縁部材３１の見込み額縁部３１ｃや延長額縁部材７１の見込み壁部７１ｃと見込みカバー部４１ｂとの隙間をできるだけ小さく設定することが可能である。同様に、延長凹溝７２ｄの内周側に位置する延長係合片７２ｅから見込み壁部７２ｃまでの距離７２Ｃと、縦額縁部材３２において装着凹溝３２ｆの内周側に位置する内壁面から外方見込み額縁部３２ｄまでの距離３２Ｃとが一致するように構成してあるため、額縁部材３２の見込み額縁部３２ｄや延長額縁部材７２の見込み壁部７２ｃと見込みカバー部４２ｂとの隙間をできるだけ小さく設定することが可能である。しかしながら、本発明では、必ずしもこれに限定されない。
【符号の説明】
【００５３】
１１，１１′，１２，１２′  既設枠、２２，２３  新設枠、３１，３２  額縁部材、３１ａ，３２ａ  接合額縁部、３１ｂ，３２ｃ  見付け額縁部、３１ｃ，３２ｄ  見込み額縁部、３１ｅ，３２ｆ  装着凹溝、３１ｆ，３２ｇ  突条部、４１，４２  カバー部材、４１ａ，４２ａ  見付けカバー部、４１ｂ，４２ｂ  見込みカバー部、４１ｃ，４２ｃ  リップ部、４１ｄ，４２ｄ  係合ヒレ部、７１，７２  延長額縁部材、７１ａ，７２ａ  接合壁部、７１ｂ，７２ｂ  見付け壁部、７１ｃ，７２ｃ  見込み壁部、７１ｄ，７２ｄ  延長凹溝、７１ｅ，７２ｅ  延長係合片、Ｂ  躯体、Ｗ  外壁
【図１】
0006423292.tif 000002
【図２】
0006423292.tif 000003
【図３】
0006423292.tif 000004
【図４】
0006423292.tif 000005
【図５】
0006423292.tif 000006
【図６】
0006423292.tif 000007
【図７】
0006423292.tif 000008
【図８】
0006423292.tif 000009